(57)【要約】【課題】長い媒体であっても排出量を増やさずに、軽い力で抜き取ることができる紙葉類排出装置を提供する。【解決手段】レシートプリンタ１３に、レシートＡを搬送する搬送ローラ２２を備えた駆動軸２１と、該駆動軸２１に回転自由に配置されて駆動ベルト２７からの回転駆動力によって回転するプーリ２６と、前記駆動軸２１に回転自由に配置されて前記プーリ２６の回転力を前記駆動軸２１に伝達する回転盤２９とを備え、前記駆動軸２１は、回転円周の一部にストッパピン２５を有し、前記プーリ２６は、回転円周の一部に突起２６ａを有し、前記回転盤２９は、回転円周の一部に設けられて前記ストッパピン２５に当接する突起２９ｂと回転円周の一部に設けられて前記突起２６ａに当接する突起２９ａとを有する構成とした。【選択図】図４
2011105443.tif 000002
【特許請求の範囲】
【請求項１】
紙葉類を搬送する搬送ローラを備えた搬送ローラ軸と、
該搬送ローラ軸に回転自由に配置されて回転駆動手段からの回転駆動力によって回転する回転駆動部材と、
前記搬送ローラ軸に回転自由に配置されて前記回転駆動部材の回転力を前記搬送ローラ軸に伝達する介装体とを備え、
前記搬送ローラ軸は、回転円周の一部に軸係止部を有し、
前記回転駆動部材は、回転円周の一部に駆動係止部を有し、
前記介装体は、回転円周の一部に設けられて前記軸係止部に当接する軸側当接部と回転円周の一部に設けられて前記駆動係止部に当接する駆動側当接部とを有する
紙葉類排出装置。
【請求項２】
前記介装体を、前記搬送ローラ軸における前記軸係止部と前記回転駆動部材との間に回転自由に複数備えた
請求項１記載の紙葉類排出装置。
【請求項３】
請求項１または２記載の紙葉類排出装置と、
該紙葉類排出装置の下段に設けられてカード排出口からカードを排出するカード排出装置とを備え、
前記紙葉類排出装置の紙葉類排出口を、
排出した紙葉類とカードを利用者がまとめて片手で抜き取り可能となるように前記カード排出口の上方に近接配置した
媒体処理装置。
【発明の詳細な説明】
【技術分野】
【０００１】
この発明は、例えば、レシートやカード等を取り扱うような紙葉類排出装置に関するものであり、特に紙葉類を排出する排出部に関するものである。
【背景技術】
【０００２】
従来、レシートプリンタやカード取り扱い装置等は、排出部のローラにピンクラッチが採用された媒体搬送装置が提案されている（特許文献１参照）。この媒体搬送装置は、ピンクラッチにより、排出部まで媒体を搬送した後、操作者が小さな力で媒体を抜き取ることができるように構成されている。
【０００３】
詳述すると、図１１に示すように、ストッパピン１２５とこのピンクラッチは、搬送ローラ１２２の駆動軸１２１にストッパピン１２５が設けられ、このストッパピン１２５に係合するプーリ１２６の突起２６ａよって動力を駆動軸に伝えるものである。このストッパピン１２５と突起２６ａの係合部には、ガタが持たせられている。媒体排出時に動力を伝えるとき、一方向にガタが寄せられて突起２６ａにストッパピン１２５が当接し、この突起２６ａを介して駆動軸１２１に回転を伝える。その後、操作者が媒体を引っ張ると、このガタのある方向に搬送ローラ１２２を回転させることになり、プーリ１２６の突起１２６ａに当接していたストッパピン１２５が突起１２６ａから離れ、動力系に繋がるプーリ１２６を回転させずに搬送ローラ１２１を回転させることができる。これにより、軽い力で媒体を抜き取ることができるようになっている。
【先行技術文献】
【特許文献】
【０００４】
【特許文献１】特開平９−９１３８７号公報
【発明の概要】
【発明が解決しようとする課題】
【０００５】
一方、従来より多くの情報を印刷したレシート等の媒体を発行する場合、レシートのサイズを大きくするか、文字を小さくするといった方法がある。ここで、レシートのサイズを大きくするためにレシート幅を増やすと、レシートプリンタの幅も大きくなり装置が大型化してしまうという問題点がある。また、文字を小さくすると判読が困難になるという問題点がある。このため、レシートの長さを増して印刷可能な情報を増やす方法が主流になる。
【０００６】
しかし、上述したピンクラッチの構成は、軽い力で抜き取ることのできる長さが、搬送ローラ１回転分からピンやギヤの引っかかり部の厚みを抜いた３６０度未満の回転量に対応する長さまでに限られる。このため、長いレシートの場合、前記回転量に対応する長さまで抜き取ると、ピンとギヤが当接してしまい、これ以上軽く回転できなくなる。従って、途中から抜き取る力が増大し、抜き取りにくくなるという問題点が生じる。仮に搬送ローラを大きくすれば、ピンクラッチで可能な回転量のまま、長いレシートであっても軽い力で完全に抜き取り可能となり得るが、搬送ローラの大型化に伴って装置全体が大きくなってしまうという問題点が生じる。
【０００７】
他には、ローラ自体の挟持力を弱くして搬送ローラとレシートをスリップさせて抜き取り力を軽くする、レシートの排出量を増やして引き抜き量を減らす、といった方法が考えられる。
【０００８】
しかし、挟持力を弱くすると搬送性能が落ちてジャムの可能性が発生する問題点が生じる。また、レシートの排出量を増やすと排出口からレシートが姿勢を維持できずに垂れ下がってしまい掴みにくくなるという問題点や、金融機関に設置されている現金自動預払機のようにカードの上に重ねて排出する場合にカードを覆い隠して見えなくしてしまうという問題点が生じる。
【０００９】
本発明は、上述した問題点を発生させることなく、長いレシートの抜き取り容易性を確保することを目的とする。
【課題を解決するための手段】
【００１０】
この発明は、紙葉類を搬送する搬送ローラを備えた搬送ローラ軸と、該搬送ローラ軸に回転自由に配置されて回転駆動手段からの回転駆動力によって回転する回転駆動部材と、前記搬送ローラ軸に回転自由に配置されて前記回転駆動部材の回転力を前記搬送ローラ軸に伝達する介装体とを備え、前記搬送ローラ軸は、回転円周の一部に軸係止部を有し、前記回転駆動部材は、回転円周の一部に駆動係止部を有し、前記介装体は、回転円周の一部に設けられて前記軸係止部に当接する軸側当接部と回転円周の一部に設けられて前記駆動係止部に当接する駆動側当接部とを有する紙葉類排出装置であることを特徴とする。
【発明の効果】
【００１１】
長いレシートの抜き取り容易性を確保することができる。
【図面の簡単な説明】
【００１２】
【図１】自動取引装置の外観を示す斜視図。
【図２】自動取引装置の構成を示すブロック図。
【図３】カード・明細票機構部の概略構成を示す側面図。
【図４】レシート排出部の構成を示す斜視図。
【図５】プーリの斜視図。
【図６】回転盤の斜視図。
【図７】レシート排出駆動完了時の状態を示す説明図。
【図８】レシート抜取中の動作を説明する説明図。
【図９】レシート抜取完了時の状態を示す説明図。
【図１０】実施例２のレシート排出部を示す斜視図。
【図１１】従来のレシート排出部を示す説明図。
【発明を実施するための形態】
【００１３】
この発明の一実施形態を以下図面と共に説明する。  
【実施例１】
【００１４】
図１は、ＡＴＭと呼ばれる自動取引装置１の外観を示す斜視図であり、図２は、自動取引装置１の構成を示すブロック図である。  
自動取引装置１は、金融機関に設置され、顧客の操作によって現金の入金や出金等の取引を行う装置である。
【００１５】
この自動取引装置１は、制御部１０に接続して、通帳取扱部１１、紙葉類排出装置としてのカード・明細票機構部１２、紙幣入出金機構部１５、貨幣入出金機後部１６、回収箱センサ１７、タッチパネル１８、および音声アナウンス部１９が設けられている。
【００１６】
制御部１０は、ＣＰＵ、メモリ等のハード構成と、プログラム、データ等のソフト構成から成り、各種処理、取引を制御する。  
通帳取扱部１１は、通帳取扱口２（図１参照）から投入された通帳に対し、取り込み、取引内容の印字、および通帳取扱口２からの排出を実行する。
【００１７】
カード・明細票機構部１２は、レシートプリンタ１３とカード排出装置としてのカードリーダ１４とで構成される。レシートプリンタ１３は、取引した内容を明細票（レシート）に印字して紙葉類排出口としてのレシート取扱口３（図１参照）から排出する動作を実行する。カードリーダ１４は、カード排出口としてのカード取扱口４（図１参照）から利用者のＩＣカードの挿入又は排出動作（搬送手段）、ＩＣカードの磁気ストライプ又はＩＣチップへのリード又はライト動作（リーダライタ）、カードエンボス部分のイメージの読取動作（イメージ読取手段）を実行する。
【００１８】
紙幣入出金機構部１５は、紙幣取扱口５（図１参照）に入金された入金紙幣や紙幣取扱口５（図１参照）から出金する出金紙幣の金種判定、真偽判定、および計数を実行する。
【００１９】
貨幣入出金機後部１６は、貨幣取扱口６（図１参照）に入金された入金貨幣や貨幣取扱口６（図１参照）から出金する出金貨幣の金種判定、真偽判定、および計数を実行する。
【００２０】
タッチパネル１８は、タッチパネル部とディスプレイ部で構成される入力兼表示部であり、利用者に対して操作案内の表示やタッチ入力の受付などを実行する。
【００２１】
音声アナウンス部１９は、取引等に関するアナウンスを音声で出力する動作を実行する。
【００２２】
図３は、カード・明細票機構部１２の概略構成を示す側面図である。  
カード・明細票機構部１２は、上段にレシートプリンタ１３、下段にカードリーダ１４が設けられており、このレシートプリンタ１３とカードリーダ１４とが上下に配置されて構成されている。
【００２３】
カードリーダ１４の前面には、カード取扱口４が設けられている。  
レシートプリンタ１３の前面下部には、搬送ローラ２２と従動ローラ２４が設けられ、さらにその前面下方のカードリーダ１４へ突出してレシート取扱口３が設けられている。このレシート取扱口３は、カード取扱口４の上部に近接配置されている。
【００２４】
このレシートプリンタ１３は、図２に示した制御部１０の制御によって駆動するものであり、印刷する情報量に応じて発行するレシートの長さを変更できるものである。すなわち、内部には、図示しないカッタを備えており、ロール紙等を適宜カットして情報を印刷してレシートを発行する。また、発行の際には、搬送路中に設けた図示しないセンサによりレシートの先端を検知しており、レシート取扱口３からの排出量（突出する長さ）を予め定めた所定量となるように排出時の搬送を停止する。従って、レシートの排出量は常に同じであるが、レシートの長さによって、装置内部に残留しているレシート残留部の長さが異なるようになっている。レシートの排出量は、カードリーダ１４から排出するカードとレシートプリンタ１３から排出するレシートが重なった状態で、下方に位置するカードを完全に隠してしまわない長さに設定することが好ましい。
【００２５】
この構成により、図３に一点鎖線で示すように、カード取扱口４から略水平にカードが排出され、レシート取扱口３から前下がりにレシートが排出されて、排出されたレシートとカードを利用者が片手で重ね合わせて抜き取れる。
【００２６】
図４は、搬送ローラ２２と従動ローラ２４とが設けられているレシート排出部２０の構成を示す斜視図であり、図５は回転駆動部材としてのプーリ２６の斜視図、図６は介装体としての回転盤２９の斜視図である。
【００２７】
レシート排出部２０は、従動ローラ２４が回転可能に配置された従動軸２３と搬送ローラ２２が固定されている搬送ローラ軸としての駆動軸２１とが上下にこの順で配置されている。従動ローラ２４と搬送ローラ２２は、上下に対向しており、この対向間にて通過する紙葉類としてのレシートＡを挟持して搬送する構成となっている。
【００２８】
駆動軸２１の一端には、回転円周の一部にて回転半径へ突出する軸係止部としてのストッパピン２５が固定されている。
【００２９】
また、駆動軸２１には、ストッパピン２５と搬送ローラ２２の間位置に、プーリ２６が回転自由に配置されている。このプーリ２６は、ストッパピン２５側の面で回転円周の一部に駆動係止部としての突起２６ａ（図５参照）が設けられており、外周に回転駆動手段としての駆動ベルト２７がかかっている。このため、プーリ２６は、駆動ベルト２７により回転駆動および回転停止を行い、それに伴って突起２６ａも回転および停止を行う。
【００３０】
また、駆動軸２１には、プーリ２６とストッパピン２５の間位置に、回転盤２９が回転自由に配置されている。この回転盤２９は、プーリ２６側の面で回転円周の一部に駆動側当接部としての突起２９ａ（図５参照）が設けられており、ストッパピン２５側の面で回転円周の一部に軸側当接部としての突起２９ｂ（図５参照）が設けられている。従って、回転盤２９は、軸方向の両面に突起２９ａと突起２９ｂとがそれぞれ配設さている
なお、突起２９ａと突起２９ｂは、回転盤２９の両面の同一位置に設けて同一位相としたが、回転円周方向に異なる位置にずらして設けても良い。この場合、例えば樹脂成型などで厚みを一定にすることができる。
【００３１】
プーリ２６の突起２６ａと、回転盤２９の突起２９ａは、回転軸となる駆動軸２１の軸芯から半径方向に同じ距離の位置に設けられており、３６０度近く相対回転すると互いに当接してそれ以上相対回転できないように構成されている。
【００３２】
また、回転盤２９の突起２９ｂと、駆動軸２１のストッパピン２５とは、回転軸となる駆動軸２１の軸芯から半径方向に同じ距離の位置に設けられており、３６０度近く相対回転すると互いに当接してそれ以上相対回転できないように構成されている。
【００３３】
これらのプーリ２６、回転盤２９、およびストッパピン２５は、駆動軸２１の内から外へ同軸上にこの順で隣接配置されており、互いに所定範囲だけ相対回転することができる。すなわち、プーリ２６と回転盤２９は、互いの対向面に設けられている突起２６ａと突起２９ａが片面の当接から離間して反対面が当接するまで相対回転可能である。そして、回転盤２９とストッパピン２５は、突起２９ｂとストッパピン２５が片面の当接から離間して反対面が当接するまで相対回転可能である。
【００３４】
なお、駆動軸２１には、プーリ２６がストッパピン２５から所定距離以上離間しないように、図示省略するＥリングなど適宜の変位防止手段を備えると良い。これにより、突起２６ａと突起２９ａの当接による相対回転の係止と、突起２９ｂとストッパピン２５の当接による相対回転の係止とを確実に行わせることができる。
【００３５】
このように構成したレシート排出部２０は、レシートＡを排出するとき、図示していない動力により駆動ベルト２７をＢ方向（図４参照）に駆動し、プーリ２６をＣ方向に回転させる。回転すると、突起２６ａが回転盤２９の突起２９ａに当たり、回転盤２９を回転し、さらに突起２９ｂがストッパピン２５に当たって駆動軸２１を回転させ、レシートＡが排出される。このとき、ストッパピン２５と突起２６ａと突起２９ａの位置関係は、図７の説明図に示すように、突起２６ａと突起２９ａが接触し、突起２９ａの裏側の突起２９ｂとストッパピン２５が接触している。このため、駆動ベルト２７による回転駆動力が、プーリ２６、回転盤２９、およびストッパピン２５の順番で伝達され、このプーリ２６、回転盤２９、およびストッパピン２５が一体となって回転する。
【００３６】
駆動ベルト２７のＢ方向の駆動が停止すると、プーリ２６、回転盤２９、およびストッパピン２５が、この接触状態で回転停止する。
【００３７】
このとき、レシートＡは、レシートプリンタ１３のレシート取扱口３から一部が排出され、残部がレシートプリンタ１３内の搬送ローラ２２と従動ローラ２４で挟持されている。これにより、レシートＡは抜き取り可能な状態に保持され、利用者が抜き取るまでに風等で飛ばされるといったことを防止している。
【００３８】
また、この状態でのレシートＡの排出量（レシート取扱口３から突出している長さ）は、カードリーダ１４のカード取扱口４から排出されたカードを完全に隠してしまわない程度となるように調整されている。このカードリーダ１４のカード取扱口４から排出されたカードも、一部がカード取扱口４から排出されて残部がカードリーダ１４内で保持されている
操作者が長いレシートＡをＺ方向に抜き取ると、抜き取られるレシートＡにつられて搬送ローラ２２と駆動軸２１とが図８（Ａ）に示す状態から図８（Ｂ）に示す状態へＣ方向（図７参照）に回転する。このとき、ストッパピン２５が突起２９ｂから離れる方向に回転（空転）するため、回転盤２９およびプーリ２６は回転しない。このため、操作者は、駆動ベルト２７の負荷や駆動ベルト２７に接続された動力の負荷の影響を受けずに、ごく軽い力で抜き取ることができる。
【００３９】
ストッパピン２５を備えた駆動軸２１がさらに回転すると、図８（Ｃ）に示すように、ストッパピン２５が回転盤２９の突起２９ｂから一旦離れ、ストッパピン２５が突起２９ｂに逆方向から再接触する。このとき回転盤２９は、図８（Ｄ）に示すように駆動軸２１の回転方向に自由に連れ回りするため、ごく軽い力で抜き取ることができる。
【００４０】
さらにレシートＡが抜き取られると、抜き取られるレシートＡにつられて搬送ローラ２２を有する駆動軸２１と回転盤２９がＣ方向（図７参照）にさらに回転（空転）し、回転盤２９の突起２９ａがプーリ２６の突起２６ａに接触するまでは、プーリ２６が回転せず、ごく軽い力で抜き取ることができる。
【００４１】
そして、仮にさらに回転が行われたとすると、図８（Ｅ）に示すように回転盤２９の突起２９ａがプーリ２６の突起２６ａに接触する。
【００４２】
従って、この方式で、搬送ローラ２２が駆動軸２１に対して相対回転する回転量は、図８（Ｆ）に示すように、駆動軸２１の回転量Ｘと回転盤２９の回転量Ｙの和となる。これにより、２回転近い回転量が確保できる。
【００４３】
このようにして軽い力での抜取を許容できる最大限の回転が行われると、図９の説明図に示すように、突起２６ａと突起２９ａ、突起２９ｂとストッパピン２５とが互いに接触し、回転係止される。
【００４４】
以上の構成および動作により、長いレシートの抜き取り容易性を確保することができる。すなわち、プーリ２６を回転させずに駆動軸２１が回転できる範囲を増やすことができる。
【００４５】
これにより、レシートＡの抜き取り容易性を確保しつつ、レシートの幅を広げることなく多くの情報をレシートに印刷することができる。これにより、レシートプリンタの幅が大きくなって装置が大型化してしまうという問題を回避できる。
【００４６】
また、文字を小さくしなくとも多くの情報を印刷できるため、文字の判読が困難になるという問題を回避できる。
【００４７】
また、搬送ローラを大きくせずとも軽い力でレシートを抜き取れる距離を長くすることができるため、搬送ローラの大型化に伴って装置全体が大きくなってしまうという問題を回避できる。
【００４８】
また、ローラ自体の挟持力を弱くして搬送ローラとレシートをスリップさせて抜き取り力を軽くする必要がないため、挟持力を弱くすることにより搬送性能が落ちてジャムの可能性が発生する問題を回避できる。
【００４９】
また、レシートの排出量（レシート取扱口３から突出させる長さ）を増やして引き抜き量を減らす必要がないため、レシートが姿勢を維持できずに垂れ下がってしまい掴みにくくなるという問題や、カードの上に重ねて排出する場合にカードを覆い隠して見えなくしてしまうという問題を回避できる。
【実施例２】
【００５０】
図１０は、別の実施例のレシート排出部４０を示す斜視図である。  
このレシート排出部４０は、駆動軸２１におけるストッパピン２５とプーリ２６の間に回転盤２９が複数（N個）並べて配置されている。この複数の回転盤２９は、互いに隣接して配置されている。隣り合う回転盤２９は、それぞれの突起２９ａと突起２９ｂとが一端で接触している状態から相対回転して他端で接触するまで回転すると相対回転停止する。従って、互いの突起２９ａと突起２９ｂとによって回転範囲が規制されている。
【００５１】
このように、回転盤２９をＮ個設置することで、回転盤２９の回転量ＹがＮ倍となり、軽い力で抜き取り可能なレシートの長さをより長くすることができる。
【００５２】
他の構成および動作は、実施例１と同一であるので、同一要素に同一符号を付してその詳細な説明を省略する。
【００５３】
以上の構成により、実施例２のレシート排出部４０は、実施例１と同一の効果を得ることができ、実施例１よりもさらに長いレシートに対応することができる。
【００５４】
なお、実施例２の図示では回転盤２９を３個としたが、これに限らず複数の回転盤２９を備えることができる。この場合、回転盤２９の数だけ対応可能なレシートの長さを長くすることができる。
【００５５】
この発明は、上述の実施形態の構成のみに限定されるものではなく、多くの実施の形態を得ることができる。
【産業上の利用可能性】
【００５６】
この発明は、紙葉類の一部を排出口から排出して残部を装置内で保持し、この状態から最終的に利用者の手によって紙葉類が抜き取られる様々な装置に利用することができる。
【符号の説明】
【００５７】
３…レシート取扱口、４…カード取扱口、１２…カード・明細票機構部、１４…カードリーダ、２１…駆動軸、２２…搬送ローラ、２５…ストッパピン、２６…プーリ、２６ａ…突起、２７…駆動ベルト、２９…回転盤、２９ａ，２９ｂ…突起、Ａ…レシート
【図１】
2011105443.tif 000003
【図２】
2011105443.tif 000004
【図３】
2011105443.tif 000005
【図４】
2011105443.tif 000006
【図５】
2011105443.tif 000007
【図６】
2011105443.tif 000008
【図７】
2011105443.tif 000009
【図８】
2011105443.tif 000010
【図９】
2011105443.tif 000011
【図１０】
2011105443.tif 000012
【図１１】
2011105443.tif 000013